(57)【要約】【課題】  簡素な構造で、所定のエリアごとに発光色を異ならせることのできる光装飾装置を提供する。【解決手段】  光ファイバー束３の基端部３ａは、着色フィルター５の回転面５ｂの中心（回転中心）と重なりを生じないように配置されている。光ファイバー束３の基端部３ａは、回転軸５ａの外側に位置し、かつ回転面５ｂの外縁よりも内側に配置されている。光ファイバー束３（基端部３ａ）は、回転面５ｂに形成される３層の円環状着色部５ｃ，５ｄ，５ｅに跨って位置するようになる。光源４からの光は、回転面５ｂを通過するとき３層の着色部５ｃ，５ｄ，５ｅごとに色分けされて光ファイバー束３（基端部３ａ）に到達する。【選択図】  図３
2007022005.tif 000002
【特許請求の範囲】
【請求項１】
複数の光ファイバーを集合させて形象を形作るとともにそれらの光ファイバーを束ねた基端部側に光源を配置し、その光源からの光を前記光ファイバーの先端又は中途部から外部へ放出して光ファイバーで形作られる前記形象を発光させる光装飾装置であって、
前記光ファイバー束の基端部と前記光源との間には、該光源から光ファイバー束の基端部へ向う光軸と交差する回転面を有して前記光源の光の色を所定の色に変えるとともに、その回転面には半径方向に層状をなし異なる色で色分けされた複数の環状の着色部が形成される着色手段を備え、
前記光軸方向から見て、前記光ファイバー束の基端部が前記回転面の中心と重なりを生じないように配置されることによって、前記光源からの光は、前記回転面を通過するとき前記層状をなす複数の着色部ごとに色分けされて前記光ファイバー束に到達することを特徴とする光装飾装置。
【請求項２】
前記光ファイバー束の基端部には、前記層状をなす複数の着色部の各々の境界位置に対応させて仕切部が形成され、
前記光ファイバー束の基端部は、前記仕切部によって前記着色部の数に対応する複数のエリアに分割されている請求項１に記載の光装飾装置。
【請求項３】
前記光軸方向から見て、前記光ファイバー束の基端部は前記回転面の外縁よりも内側に配置されている請求項１又は２に記載の光装飾装置。
【請求項４】
前記着色手段は円板状の着色フィルターで構成され、
前記光ファイバー束の基端部外径は、前記着色フィルターの回転面の半径と等しいかそれよりも小さく設定されている請求項１ないし３のいずれか１項に記載の光装飾装置。
【請求項５】
前記環状の着色部には、その着色部の一部が周方向に区画され、かつその着色部の地色とは異なる色で色分けされた副着色部が形成されている請求項１ないし３のいずれか１項に記載の光装飾装置。
【請求項６】
前記着色手段は円板状の着色フィルターで構成され、
前記副着色部は、前記環状の着色部内において、中心から放射状に拡がる扇形状に区画形成されている請求項５に記載の光装飾装置。
【発明の詳細な説明】
【技術分野】
【０００１】
この発明は、光ファイバーを用いて発光させる光装飾装置に関する。
【背景技術】
【０００２】
従来、所定の対象物に複数の光ファイバーを連結して、その先端から点状の光又は多数の点状の光の群を組み合わせて、適宜の装飾的な発光を行わせる発光装置が知られている。
【０００３】
しかしながら、この種の装飾発光装置では、例えば幻想的な癒し空間を形成するために所定のエリアごとに発光色を異ならせようとすると、複数色の光源及び発光制御部等を要することとなって、装置が大型になり高価になるおそれがある。
【発明の開示】
【発明が解決しようとする課題】
【０００４】
本発明の課題は、簡素な構造で、所定のエリアごとに発光色を異ならせることのできる光装飾装置を提供することにある。
【課題を解決するための手段及び発明の効果】
【０００５】
上記課題を解決するために、本発明に係る光装飾装置は、
複数の光ファイバーを集合させて形象を形作るとともにそれらの光ファイバーを束ねた基端部側に光源を配置し、その光源からの光を前記光ファイバーの先端又は中途部から外部へ放出して光ファイバーで形作られる前記形象を発光させる光装飾装置であって、
前記光ファイバー束の基端部と前記光源との間には、該光源から光ファイバー束の基端部へ向う光軸と交差する回転面を有して前記光源の光の色を所定の色に変えるとともに、その回転面には半径方向に層状をなし異なる色で色分けされた複数の環状の着色部が形成される着色手段を備え、
前記光軸方向から見て、前記光ファイバー束の基端部が前記回転面の中心と重なりを生じないように配置されることによって、前記光源からの光は、前記回転面を通過するとき前記層状をなす複数の着色部ごとに色分けされて前記光ファイバー束に到達することを特徴とする。
【０００６】
このように、環状の着色部が半径方向に層状をなして複数形成された回転面の中心に対して、光ファイバー束の基端部が重なりを生じないように配置されることで、光源からの光は複数の着色部ごとに色分けされて光ファイバー束（を構成する各光ファイバー）に到達する。これによって、光ファイバー束に達した光は着色部に対応するエリアごとに色分けされているため、容易にそのエリアごとに異なる色で形象を発光させることができる。しかも、光源、着色手段（例えば着色フィルター）、光ファイバー束（の基端部）の三者の配置を工夫することによって実施できることから、光装飾装置において形象のエリアごとに異なる色で発光させることが簡素な構造により安価に提供できる。例えば発光制御部を有しない単色の光源を用いて、所定のエリアごとに形象の発光色を異ならせることができる。
【０００７】
そして、光ファイバー束の基端部に、層状をなす複数の着色部の各々の境界位置に対応させて仕切部（例えば仕切壁）が形成され、光ファイバー束の基端部は、仕切部によって着色部の数に対応する複数のエリアに分割されている場合には、着色部の各境界位置に対応する部分での異色の光の混合（にじみや濁り）が発生しにくくなる。また、仕切部は、着色手段の回転面と光ファイバー束の基端部とを位置合わせするときの指標（目安）になるので、位置合わせ作業が容易となり、位置ずれも発生しにくい。さらに、仕切部で区切られた光ファイバー束の基端部の各エリアは、異なる色で発光させる形象の各エリアに対応して形成されているので、個々の光ファイバーを集合させて光ファイバー束に組み立てるときに、各光ファイバーを形象のエリアにミスなく繋ぐことができるようになる。
【０００８】
光軸方向から見て、光ファイバー束の基端部は回転面の外縁よりも内側に配置されていることが望ましい。これによって、回転面の外側にはみ出して配置されないため、光ファイバー束の全体（すなわち、光ファイバー束を構成する個々の光ファイバーのすべて）を光装飾装置の発光用に用いることができ、無駄を生じない。
【０００９】
着色手段が円板状の着色フィルターで構成される場合には、光ファイバー束の基端部外径は、回転面の半径と等しいかそれよりも小さく設定されることになるから、光ファイバー束の小径化により光ファイバー本数を減らしてコストダウンを図ることも可能になる。
【００１０】
次に、環状の着色部には、その着色部の一部が周方向に区画され、かつその着色部の地色とは異なる色で色分けされた副着色部を形成することができる。着色手段の回転に伴って、着色部の地色と副着色部の色とで色変化又は明暗変化を繰り返すことになるので、発光形態（色変化や明暗変化）の多様化を図ることができる。
【００１１】
着色手段が円板状の着色フィルターで構成される場合には、副着色部が環状の着色部内において、中心から放射状に拡がる扇形状に区画形成されるので、副着色部を簡便に形成することができる。
【発明を実施するための最良の形態】
【００１２】
（実施例）
以下、図面を参照しながら発明の実施の形態について説明する。図１は本発明の光装飾装置の一例を示す断面図、図２はそのボックスの蓋を開けた状態を示す斜視図、図３は図１の構造を模式的に示す説明図、図４は着色フィルターと光ファイバー束との位置関係を模式的に示す斜視図である。図１に示す光装飾装置１は、複数の光ファイバー２を集合させて形象１ａを形成している。複数の光ファイバー２は上部では複数のエリア２１，２２，２３に枝分かれしている。一方、複数の光ファイバー２の下部は幹をなすように円柱状に束ねられて光ファイバー束３を構成し、その基端部３ａ（樹木の根の部分に相当する）は、光装飾装置１の主要部分を収容する収納ボックス１０に保持されている。
【００１３】
具体的には、光ファイバー束３の基端部３ａは合成樹脂製の移動内筒１３（間隔変更部）に挿入固定されている。さらに、その移動内筒１３の下部は、収納ボックス１０の蓋１１に固定された合成樹脂製の固定外筒１２（間隔変更部）に挿入されて、基端部３ａとともに収納ボックス１０内に突入配置されている。移動内筒１３の外径と固定外筒１２の内径とはほぼ同径に形成され、移動内筒１３の外面と固定外筒１２の内面との間の摩擦力及び合成樹脂の弾性力によって、移動内筒１３（基端部３ａ）は自重で下がることなく挿入位置を維持している。
【００１４】
図２にも表わされるように、収納ボックス１０の内部には、光ファイバー束３の基端部３ａの下方に配置される光源４と、基端部３ａと光源４との間に配置される円板状の着色フィルター５（着色手段）と、着色フィルター５を上下方向の回転軸線Ｏ（回転軸５ａ）の周りに回転させる電動モーター６と、光源４及び電動モーター６に電力を供給する電源７等が収容されている。
【００１５】
光源４には、Ｒ（赤）、Ｂ（青）、Ｇ（緑）の光の三原色のＬＥＤを用いたフルカラーＬＥＤの他、単色のＬＥＤや所定色の光を放つ各種のランプを用いることができる。例えば、形象１ａを発光させるのに必要な光量を確保するために、複数の白色ＬＥＤを光源４に用いる場合がある。白色ＬＥＤの消費電力や発熱量はハロゲンランプ等と比較して数段小さいので、大きな光量を要する光装飾装置１に有効である。
【００１６】
光源４から光ファイバー束３の基端部３ａへ向う光軸Ｐは、光ファイバー束３を通り回転軸線Ｏと平行状になるように配置されている。着色フィルター５の回転面５ｂは光軸Ｐと直交状に配置され、その半径Ｒは光ファイバー束３（基端部３ａ）の外径ｄよりもやや大に設定されている（図３（ａ）参照）。
【００１７】
既に述べたように、図１に示す基端部３ａの挿入位置は、移動内筒１３の外面と固定外筒１２の内面との間の摩擦力及び合成樹脂の弾性力によって保持されているから、移動内筒１３（光ファイバー束３）を把持して摩擦力や弾性力以上の力を加えれば、光ファイバー束３を光軸Ｐに沿って上下移動することができる。これによって、光ファイバー束３の基端部３ａと着色フィルター５との間隔を変化させることができる。なお、移動内筒１３の外周面に目盛１３ａを刻設（又は記入）しておけば、目盛１３ａを目印とすることによって間隔の調整が容易となる。
【００１８】
図３及び図４に示すように、着色フィルター５の回転面５ｂには、半径方向内側から外側に向けて層状をなし、異なる色で色分けされた複数（例えば３層）の円環状の着色部５ｃ，５ｄ，５ｅが形成されている。例えば、一番内側の着色部５ｃを赤色で塗装し、その外側の着色部５ｄを青色で塗装し、一番外側の着色部５ｅを黄色で塗装してある。
【００１９】
各々の環状の着色部５ｃ，５ｄ，５ｅには、その着色部５ｃ，５ｄ，５ｅの一部が周方向に区画され、着色部５ｃ，５ｄ，５ｅの地色とは異なる色で色分けされた副着色部１５ｃ，１５ｄ，１５ｅが形成されている。具体的には、一番内側の着色部５ｃ内に、中心から放射状に拡がる３個の副着色部１５ｃがそれぞれ扇形状に区画形成されている。同様に、その外側の着色部５ｄ内に、中心から放射状に拡がる４個の副着色部１５ｄがそれぞれ扇形状に区画形成されている。さらに、一番外側の着色部５ｅ内に、中心から放射状に拡がる６個の副着色部１５ｅがそれぞれ扇形状に区画形成されている。
【００２０】
そして、図３（ａ）に示すように、光ファイバー束３の基端部３ａは、着色フィルター５の回転面５ｂの中心（回転中心）と重なりを生じないように配置されている。具体的には、光ファイバー束３の基端部３ａは、回転軸５ａの外側に位置し、かつ回転面５ｂの外縁よりも内側に配置されている。したがって、光ファイバー束３（基端部３ａ）は、回転面５ｂに形成される３層の円環状着色部５ｃ，５ｄ，５ｅに跨って位置するようになる。これによって、光源４からの光は、回転面５ｂを通過するとき３層の着色部５ｃ，５ｄ，５ｅごとに色分けされて光ファイバー束３（基端部３ａ）に到達する。
【００２１】
そこで、図４に示すように、光ファイバー束３の基端部３ａには、着色部５ｃ，５ｄの境界位置に対応させて仕切壁３１（仕切部）が形成されている。同様に、着色部５ｄ，５ｅの境界位置に対応させて仕切壁３２（仕切部）が形成されている。これらの仕切壁３１，３２によって光ファイバー束３（基端部３ａ）は、３層の着色部５ｃ，５ｄ，５ｅに対応する３つのエリア３ｃ，３ｄ，３ｅに分割される。また、各エリア３ｃ，３ｄ，３ｅに配置される個々の光ファイバー２は、形象１ａの３つのエリア２１，２２，２３（図１参照）にそれぞれ繋がれている。
【００２２】
次に、図３及び図４により、光装飾装置１の作動について説明する。電動モーター６により着色フィルター５を回転させると、光源４からの光は、着色フィルター５の回転面５ｂを通過するとき、３層の着色部５ｃ，５ｄ，５ｅごとに色分けされて光ファイバー束３（基端部３ａ）に到達する。光ファイバー束３（基端部３ａ）では、仕切壁３１，３２によって分割された３つのエリア３ｃ，３ｄ，３ｅで、着色部５ｃ，５ｄ，５ｅで色分けされた各光を受け、光ファイバー２により形象１ａの３つのエリア２１，２２，２３（図１参照）に伝達する。本実施例では、エリア２１では赤色に発光し、エリア２２では青色に発光し、エリア２３では黄色に発光することになる。
【００２３】
次に、副着色部１５ｃ，１５ｄ，１５ｅによる形象１ａの発光について、一番内側の着色部５ｃに形成される副着色部１５ｃを例にとって説明する。
（１）副着色部１５ｃが着色部５ｃの地色と異系色の場合
副着色部１５ｃが着色部５ｃの地色である赤色と異系色（例えば緑色）の場合には、副着色部１５ｃが光軸Ｐを横切るたびに光源４からの光の色が赤色から緑色に切り替わり、あたかも点滅するように色変化して発光する。これによって、形象１ａのエリア２１がメリハリの利いたＯＮ−ＯＦＦ状に色変化する様子を楽しめるようになる。
【００２４】
（２）副着色部１５ｃが着色部５ｃの地色と同系色の場合
副着色部１５ｃが着色部５ｃの地色である赤色と同系色（例えばオレンジ色）の場合には、副着色部１５ｃが光軸Ｐを横切るたびに光源４からの光の色が赤色→オレンジ色→赤色のように比較的なだらかな色変化を繰り返すようになる。これによって、形象１ａのエリア２１が例えばサインカーブ状に波打つように色変化する様子を楽しめるようになる。
【００２５】
（３）副着色部１５ｃが非透光性着色部の場合
例えば副着色部１５ｃが黒色に塗装されて、光源４からの光を遮断する非透光性着色部（非透光部）で形成されている場合には、非透光性着色部１５ｃが光軸Ｐを横切る際に光源４からの光が一時的に遮断されて基端部３ａの各光ファイバー２に届かなくなり、一時消灯（ＯＦＦ）後赤色点灯（ＯＮ）する動作（赤色の点滅状態）を繰り返すようになる。これによって、形象１ａのエリア２１がＯＮ−ＯＦＦ状に点滅する様子を楽しめるようになる。
【００２６】
なお、一番内側の着色部５ｃに形成される副着色部１５ｃを例にとって説明したが、その外側の着色部５ｄに形成される副着色部１５ｄ、一番外側の着色部５ｅに形成される副着色部１５ｅについても同様である。
【００２７】
このように、回転面５ｂの中心に対して光ファイバー束３の基端部３ａが重なりを生じないように配置されるので、光源４からの光は３層の着色部５ｃ，５ｄ，５ｅごとに色分けされて光ファイバー束３（を構成する各光ファイバー２）に到達する。また、光ファイバー束３の基端部３ａは、仕切壁３１，３２によって３層の着色部５ｃ，５ｄ，５ｅに対応する３つのエリア３ｃ，３ｄ，３ｅに分割されている。したがって、光ファイバー束３に達した光は着色部５ｃ，５ｄ，５ｅに対応するエリア３ｃ，３ｄ，３ｅごとに色分けされて、形象１ａの３つのエリア２１，２２，２３（図１参照）に伝達される。このような簡素な構造であっても、形象１ａのエリア２１，２２，２３ごとに異なる色で発光させることができる。
【００２８】
光ファイバー束３の基端部３ａは、仕切壁３１，３２によって形象１ａのエリア２１，２２，２３と繋がれた３つのエリア３ｃ，３ｄ，３ｅに分割されているので、光ファイバー束３の組み立て作業の際に個々の光ファイバー２の誤組み付けを防止でき、誤組み付けの発見も容易である。また、仕切壁３１，３２は、着色フィルター５の回転面５ｂと光ファイバー束３の基端部３ａとを位置合わせするときの指標（目安）になるので、位置合わせ作業が容易となり、位置ずれも発生しにくい。
【００２９】
なお、着色フィルター５を通って各光ファイバー２に達した光源４からの光は、光ファイバー２の先端以外にその中途部から外部に放出されるようにしてもよい。
【図面の簡単な説明】
【００３０】
【図１】本発明の光装飾装置の一例を示す断面図。
【図２】図１のボックスの蓋を開けた状態を示す斜視図。
【図３】図１の構造を模式的に示す説明図。
【図４】着色フィルターと光ファイバー束との位置関係を模式的に示す斜視図。
【符号の説明】
【００３１】
１      光装飾装置
１ａ    形象
２      光ファイバー
３      光ファイバー束
３ａ    基端部
３ｃ，３ｄ，３ｅ  エリア
４      光源
５      着色フィルター（着色手段）
５ａ    回転軸
５ｂ    回転面
５ｃ，５ｄ，５ｅ  着色部
１５ｃ，１５ｄ，１５ｅ  副着色部
３１，３２  仕切壁（仕切部）
Ｏ      回転軸線
Ｐ      光軸
【図１】
2007022005.tif 000003
【図２】
2007022005.tif 000004
【図３】
2007022005.tif 000005
【図４】
2007022005.tif 000006